(57)【要約】【課題】  シンク下方の空間を有効利用することができる排水システムを提供する。【解決手段】  シンク１１の排水口１２から接続管１３に排出される水を排水管１４に圧送するポンプ１５のポンプ室１８に、排水管１４に接続される吐出口２５の高さ位置が接続管１３に接続される吸水口２４の高さ位置よりも高くなるように形成し、ポンプ１５をシンク１１下方の空間２２内でその奥側に配置する。【選択図】  図１
2005126921.tif 000002
【特許請求の範囲】
【請求項１】
シンクの排水口から排出される水を排水管に圧送するためのポンプを備える排水システ
ムであって、
前記ポンプは、前記排水口に接続される吸水口と、前記排水管に接続される吐出口とを
備え、該吐出口の高さ位置は前記ポンプに封水機能を付与すべく前記吸水口の高さ位置よ
りも高く設定されており、前記シンクの下方の空間の有効利用のために前記ポンプは前記
シンク下方の奥側に配置されていることを特徴とする排水システム。
【請求項２】
前記シンクの前記排水口と前記ポンプの前記吸水口とは接続管で接続されており、該接
続管と前記シンクとの間には、一端が前記接続管に開放し、他端が前記シンクにその側方
で開放する空気抜き管が設けられていることを特徴とする請求項１に記載の排水システム
。
【発明の詳細な説明】
【技術分野】
【０００１】
本発明は、流し台あるいは洗面台のシンクから排出される水を排水管へポンプで圧送す
る排水システムに関する。
【背景技術】
【０００２】
従来、住居の流し台に設けられたシンクは、その排水口に接続された排水管を経て下水
道に接続されている。排水口又は排水管には、トラップが設けられている。トラップは、
その中に貯留された水で排水管内の空気の流れを遮断している。このトラップの封水機能
は、排水管内又は下水管内で悪臭を伴う下水ガスや害虫等が発生しそれらが排水管内を逆
流してきた際、それらが排水口から出てくることを防止する。（例えば、特許文献１参照
。）。
【０００３】
トラップには、シンクの排水口にシンク下方へ突出して設けられた椀型のトラップや、
シンクの直下で排水管をＳ字型に屈曲させることによりその屈曲部分で水を貯留するＳ型
トラップ等がある。
【特許文献１】特開２００２−２８０４０号公報
【発明の開示】
【発明が解決しようとする課題】
【０００４】
しかしながら、トラップがシンク下方の奥側ではなく、排水口にシンク下方へ突出して
設けられていたり、シンクの直下に設けられていたりすることから、シンク下方の空間が
狭くなってしまう。このため、例えばシンク下方の空間を収納空間として利用しようとし
た場合、トラップが収納の邪魔になってしまうことから、シンク下方の空間を有効に利用
することができないという欠点があった。
【０００５】
本発明の目的は、シンク下方の空間を有効利用することができる排水システムを提供す
ることにある。
【課題を解決するための手段】
【０００６】
上記課題を解決するために、請求項１に記載の発明は、シンクの排水口から排出される
水を排水管に圧送するためのポンプを備える排水システムであって、前記ポンプは、前記
排水口に接続される吸水口と、前記排水管に接続される吐出口とを備え、該吐出口の高さ
位置は前記ポンプに封水機能を付与すべく前記吸水口の高さ位置よりも高く設定されてお
り、前記シンクの下方の空間の有効利用のために前記ポンプは前記シンク下方の奥側に配
置されていることを特徴とする。
【０００７】
請求項１に記載の構成では、ポンプの吐出口の高さ位置が吸水口の高さ位置よりも高く
設定されていることから、排水管への排水の圧送が終了してポンプの作動が停止した後で
も、ポンプ内又はポンプと排水口との間には少なくともポンプの吸水口と吐出口との高さ
の差分の水が残る。
【０００８】
このため、排水口から排水されていないときでもポンプと排水口との間で水が貯留され
ることから、ポンプで排水管内の空気の流れを遮断することができる。従って、ポンプに
従来のようなトラップの封水機能を担わせることができる。しかも、封水機能を持たせた
ポンプがシンク下方の奥側に配置されていることから、シンク下方の空間が広がるため、
この空間を収納空間として有効に利用することができる。
【０００９】
請求項２に記載の発明は、請求項１に記載の発明において、前記シンクの前記排水口と
前記ポンプの前記吸水口とは接続管で接続されており、該接続管と前記シンクとの間には
、一端が前記接続管に開放し、他端が前記シンクにその側方で開放する空気抜き管が設け
られていることを特徴とする。
【００１０】
請求項２に記載の構成では、接続管とシンクとの間に、接続管とシンクとを連通する空
気抜き管が設けられている。
【００１１】
排水口から排水されていないとき、排水口に接続された接続管内には、封水機能を有す
るポンプと排水口との間に空気が存在する。この状況下で排水口から接続管に一時的に大
量の排水を流した場合、排水口が排水で塞がれてしまい、接続管内に空気が封じ込められ
てしまうことがある。このため、排水口からの排水の流れが悪くなってしまう。
【００１２】
これに対し、請求項２に記載の構成では、接続管とシンクとを連通する空気抜き管が設
けられていることから、接続管内の空気をシンク内へ抜くことができる。これにより、一
時的に大量の排水が排出された場合でも、排水口からの排水を円滑にすることができる。
【００１３】
また、空気抜き管の他端がシンクにその側方で開放していることから、空気抜き管は、
シンク内に空気抜き管の他端まで水が溜まった際にシンク内の水を空気抜き管の他端から
接続管へ流入させる従来よく知られたオーバーフロー管としても機能する。これにより、
シンクから水が溢れ出すことを防止することができる。
【発明の効果】
【００１４】
本発明によれば、ポンプの吐出口の高さ位置が吸水口の高さ位置よりも高く設定されて
いるため、排水口から排水されていないときでもポンプと排水口との間で水が貯留される
ことから、ポンプに従来のトラップの封水機能を担わせることができる。しかも、封水機
能を有するポンプがシンク下方の奥側に配置されていることから、シンク下方の空間が広
がるため、この空間を収納空間として有効に利用することができる。
【発明を実施するための最良の形態】
【００１５】
本発明に係る排水システムについて実施例に沿って説明する。
【実施例】
【００１６】
本実施例では、住居に設置された流し台に本発明を適用した例について説明する。
【００１７】
本発明に係る排水システム１０は、図１に示すように、流し台２０に設けられたシンク
１１と、シンク１１の排水口１２から排出された水が流れ込む接続管１３と、図示しない
下水管に接続された排水管１４と、接続管１３と排水管１４との間に設けられ、接続管１
３に流れ込んだ排水を排水管１４へ圧送するためのポンプ１５とを備える。
【００１８】
シンク１１は、排水口１２が形成された底壁１６と、底壁１６の周縁１６ａから立ち上
がる側壁１７とを備える。
【００１９】
接続管１３は、Ｌ字状をなしており、その上端１３ａは排水口１２に接続され、その下
端１３ｂは、後述するように、ポンプ１５に接続されている。
【００２０】
ポンプ１５は、周壁１５ａで規定されるポンプ室１８と、ポンプ室１８内に設けられた
ファン１９と、ポンプ室１８の外側に配置され、ファン１９を回転させるモータ２１とを
備える。また、ポンプ１５は、シンク１１の下方の空間２２内でその奥側すなわち図１で
見て右側に配置されている。ポンプ１５は、図示の例では、回転するファン１９の遠心力
により、後述するように、吸水口２４からポンプ室１８内に流入する排水を吐出口２５か
ら排水管１４へ圧送する縦型の遠心式ポンプで構成されている。
【００２１】
ポンプ室１８を規定する周壁１５ａには、前記した接続管１３の他端１３ｂが接続され
る吸水口２４と、排水管１４の一端１４ａが接続される吐出口２５とが形成されている。
吸水口２４は周壁１５ａの下方に形成されており、吐出口２５は周壁１５ａの吸水口２４
の対偶位置に形成されており、吐出口２５の高さ位置は、吸水口２４の高さ位置よりも高
く設定されている。
【００２２】
ポンプ室１８の内周面１８ａには、吐出口２５に対向する位置にセンサ２７が設けられ
ている。センサ２７は、図示の例では静電容量センサで構成されている。静電容量センサ
は、従来よく知られているように、水の誘電率と空気の誘電率との差を利用して、ポンプ
室１８内の水の水位がセンサに設定された検知水位に達したときその水位を検出する。ま
た、シンク１１の下方の空間２２内には、センサ２７及びモータ２１がそれぞれ電気的に
接続されたコントローラ２８が設けられている。コントローラ２８は、図示しない制御回
路を備え、センサ２７から受ける検出信号に基づいてモータ２１の駆動を制御する。
【００２３】
また、接続管１３には、ポンプ室１８の吸水口２４近傍に逆止弁２６が設けられている
。逆止弁２６は、排水の接続管１３からポンプ室１８へ一方向への流れを許し、排水のポ
ンプ室１８から接続管１３への逆流を阻止する。
【００２４】
排水管１４は、クランク状をなしており、住居の床板２９に形成された孔２９ａを介し
て床板２９とコンクリートの土台３０との間を延びている。排水管１４の一端１４ａは、
前記したように、ポンプ室１８の吐出口２５に接続され、他端は図示しない下水管に接続
されている。排水管１４の径は、接続管１３の径よりも小さく設定されている。これによ
り、床板２９と土台３０との間が狭い場合でも、排水管１４を床板２９の下に自由に配置
することができる。
【００２５】
図示の例では、シンク１１と接続管１３との間に、空気抜き管３１が設けられている。
空気抜き管３１は、その一端３１ａが接続管１３に排水口１２近傍で形成された開口１３
ｃを経て接続管１３に開放し、その他端３１ｂがシンク１１の奥側の側壁１７ａに形成さ
れた開口１１ａを経てシンク１１に開放する。空気抜き管３１は、接続管１３内の空気を
シンク１１へ抜く機能に加え、シンク１１からの水の溢れ出しを防止する従来よく知られ
たオーバーフロー管としての機能も有する。
【００２６】
本発明に係る排水システム１０では、シンク１１の排水口１２から接続管１３に排水が
導入されると、排水は逆止弁２６を押し開けて吸水口２４からポンプ室１８内に流入する
。ポンプ室１８内に排水が流入すると、ポンプ室１８内に貯留されている封水のための水
に排水が加わり、ポンプ室１８内の水の水位が上がる。ポンプ室１８内の水の水位がセン
サ２７に設定された検知水位に達すると、センサ２７はその水位を検知し、検知信号をコ
ントローラ２８に出力する。コントローラ２８は、センサ２７から検知信号を受けるとモ
ータ２１に駆動信号を出力し、モータ２１を駆動させる。モータ２１の駆動によりファン
１９が回転すると、その回転により生じる遠心力で接続管１３内の排水はポンプ室１８内
に強制的に吸い込まれ、ポンプ室１８内を上昇して吐出口２５から排水管１４に吐出され
る。排水管１４に吐出された排水は、順次排水管１４を通って下水管へ案内される。シン
ク１１からの排水の完了によりシンク１１内の排水の水位が検知水位よりも低くなると、
センサ２７からコントローラ２８への検知信号が遮断される。コントローラ２８への検知
信号が遮断されると、コントローラ２８はモータ２１に停止信号を出力し、モータ２１の
駆動を停止させる。これにより、排水管１４への排水の圧送が終了する。
【００２７】
本実施例によれば、前記したように、ポンプ室１８に形成された吐出口２５の高さ位置
が吸水口２４の高さ位置よりも高く設定されており、また接続管１３にはポンプ１５の吸
水口２４近傍に逆止弁２６が設けられていることから、排水管１４への排水の圧送が終了
してポンプ１５の作動が停止した後でも、少なくともポンプ室１８の吐出口２５と逆止弁
２６との間に水が残る。このため、排水が行われていないときでもポンプ室１８内に水が
貯留されることから、ポンプ１５を挟んで排水管１４と接続管１３との間で空気の流れが
遮断される。これにより、ポンプ１５に従来のようなトラップの封水機能を担わせること
ができる。しかも、封水機能を持たせたポンプ１５がシンク１１下方の空間２２内でその
奥側に配置されていることから、シンク１１下方の空間２２が広がる。これにより、シン
ク１１下方の空間２２を収納空間として有効に利用することができる。
【００２８】
また、前記したように、シンク１１と接続管１３との間には、シンク１１と接続管１３
とを連通する空気抜き管３１が設けられていることから、接続管１３内の空気をシンク１
１内へ抜くことができる。これにより、排水口１２から接続管１３へ一時的に大量の排水
が排出されても、排水口１２から接続管１３への排水を円滑にすることができる。また、
前記したように、空気抜き管３１の他端３１ｂがシンク１１の側壁１７ａでシンク１１に
開放していることから、シンク１１の排水口１２から排出される排水の量よりシンク１１
内の水の量が多い場合に、空気抜き管３１でシンク１１内の水を接続管１３へ流入させる
ことができる。これにより、シンク１１から水が溢れ出すことを防止することができる。
【００２９】
本実施例では、ポンプ１５をシンク１１下方の奥側に配置した例を示したが、住居の床
板２９の下にポンプ１５を収納するスペースを設けて、そこにポンプ１５を配置すること
もできる。これにより、シンク１１下方の空間２２をより広げることができる。また、ポ
ンプ１５が遠心式ポンプで構成された例を示したが、遠心式以外のポンプを本発明に用い
ることができる。また、ポンプ室１８に設けられたセンサ２７が静電容量センサで構成さ
れた例を示したが、静電容量センサに代えて、水圧の変化を利用した圧力センサ又は重量
の変化を利用した重量センサ等を用いることができる。
【００３０】
また、接続管１３にはポンプ室１８の吸水口２４近傍に逆止弁２６が設けられた例を示
したが、接続管１３をＬ字状の管に代えて真直ぐな管を用いた場合、その下部とポンプ室
１８とで協働してトラップの封水機能を果たすことができるため、逆支弁２６を不要とす
ることができる。  
【００３１】
更に、図示の例では、排水管１４のポンプ室１８の吐出口２５から延びる部分が床板２
９に水平になるように形成されているが、その部分に上り勾配をつけることができる。こ
れにより、ポンプ室１８内に貯留された水に含まれる空気が排水管１４へ抜け易くなる。
【００３２】
住居内に設置された流し台２０に本発明を用いた例を示したが、屋外に設置された流し
台や洗面台等に本発明を用いることができる。
【図面の簡単な説明】
【００３３】
【図１】本発明に係る排水システムを概略的に示した側面図である。
【符号の説明】
【００３４】
１１  シンク
１２  排水口
１４  排水管
１５  ポンプ
１０  排水システム
２４  吸水口
２５  吐出口
２２  空間
１３  接続管
２９ａ  一端
２９ｂ  他端
２９  空気抜き管
【図１】
2005126921.tif 000003